(57)【要約】【課題】簡易な構成で信頼性が高い静電噴霧装置を提供する。【解決手段】静電噴霧装置１は、液体を噴霧する噴霧ノズル２と、噴霧ノズル２から噴霧される液体を帯電させるための帯電部としてのケーブル３とを備える。ケーブル３は、条状の導電部３１と、導電部３１を被覆し、導電部３１よりも導電性が低く、絶縁体よりも絶縁性が低い第１の被覆部３２と、第２の被覆部３３を被覆し、第１の低絶縁性３２よりも絶縁性が低く機械的強度が高い第２の被覆部３３とを有する曲直自在な条状になしてある。【選択図】図２
2015174035.tif 000002
【特許請求の範囲】
【請求項１】
液体を噴霧する噴霧ノズルと、
該噴霧ノズルから噴霧される液体を帯電させるための帯電部と
を備える静電噴霧装置において、
前記帯電部は、
条状の導電部と、
該導電部を被覆し、該導電部よりも導電性が低く、絶縁体よりも絶縁性が低い第１の被覆部と、
該第１の被覆部を被覆し、該第１の被覆部よりも絶縁性が低く機械的強度が高い第２の被覆部と
を有する曲直自在な条状になしてあることを特徴とする静電噴霧装置。
【請求項２】
前記噴霧ノズルを支持する支持杆と、
該支持杆を着脱可能に支持する杆支持部と
を更に備え、
前記帯電部の一部は伸直し、前記支持杆の長手方向に複数離隔配置されている被装架部間に着脱可能に装架され、
前記帯電部の他部はコ字状に屈曲し、前記支持杆を支持している場合の前記杆支持部を迂回して、前記支持杆に着脱可能に取り付けてあることを特徴とする請求項１に記載の静電噴霧装置。
【請求項３】
前記他部に沿って配され、該他部と前記杆支持部との接触を防止する接触防止部を更に備えることを特徴とする請求項２に記載の静電噴霧装置。
【発明の詳細な説明】
【技術分野】
【０００１】
本発明は、静電気を利用して、液体を効率よく被噴霧対象に付着させるための静電噴霧装置に関する。
【背景技術】
【０００２】
例えばブームスプレーヤのような静電噴霧装置は、支持杆の長手方向に複数個並設されている噴霧ノズルから液体を噴霧させる（特許文献１参照）。
支持杆の姿勢は変更可能である（特許文献２参照）。具体的には、静電噴霧装置の使用時（例えば噴霧ノズルから液体を噴霧させる場合）には、支持杆は、静電噴霧装置の側方へ突出した第１の姿勢で維持される。また、静電噴霧装置の非使用時（例えば静電噴霧装置を格納する場合）には、支持杆は、静電噴霧装置の側部に沿って後方へ突出した第２の姿勢で維持される。静電噴霧装置の側部には、第２の姿勢の支持杆が着脱可能に載置される杆載置部が備えられている。
【０００３】
噴霧ノズルから噴霧される液体を帯電させるために、２個の帯電部が、噴霧ノズルから噴霧される液体の拡散範囲を介在して離隔配置される。従来の各帯電部は、支持杆の長手方向に沿って並置される直線状の棒電極と、隣り合う棒電極同士を接続する曲直自在な電線とで構成されている。
【０００４】
各噴霧ノズルは支持杆から下方へ突設されているため、帯電部の大部分は支持杆の下方に配される。ただし、帯電部は部分的にコ字状に屈曲しており、支持杆が載置されている場合の杆載置部を迂回するように配されている。このため、帯電部が杆載置部に対する支持杆の着脱を阻害することが抑制されている。
【先行技術文献】
【特許文献】
【０００５】
【特許文献１】特開２００８−１９４６７３号公報
【特許文献２】特開２０１２−５４３２号公報
【発明の概要】
【発明が解決しようとする課題】
【０００６】
しかしながら、従来の帯電部は、棒電極と電線という２種類の部材を必要とする複雑な構成である。複雑な構成の帯電部は、往々にして簡易な構成の帯電部よりも信頼性が低い。
仮に、帯電部を１本の棒電極のみで構成した場合、部分的にコ字状に屈曲した長い棒電極を形成しなければならない。このため、支持杆の長さ、又は支持杆の杆載置部への載置位置が異なる静電噴霧装置毎に、棒電極の長さ及びコ字状の屈曲位置を調節する作業は煩雑である。
更に、棒電極が例えば鋼管を用いてなる場合、外力が印加されたときに棒電極が無用に屈曲又は破損し、棒電極を交換しなければならなくなるかもしれない。
【０００７】
次に、帯電部を１本の電線のみで構成した場合について考える。一般に、電線は条状の導体を用いてなる。導体が露出していると危険であるため、通常、導体は絶縁体で被覆される。ところが、導体を被覆している絶縁体の表面には電流が流れない。故に、絶縁体で被覆された導体は、帯電部として機能しない。
そこで、導体よりも導電性が低く、且つ、絶縁体よりも絶縁性が低い非絶縁体で導体を被覆することが考えられる。この場合、導体を被覆している非絶縁体の表面には、導体に
流れる電流よりも弱い電流が流れる。故に、非絶縁体で被覆された導体は、帯電部として機能する。しかも、導体が露出しているよりも安全性が高い。
【０００８】
ところで、導体を被覆する非絶縁体には適宜の機械的強度が必要とされる。何故ならば、機械的強度が低い非絶縁体は容易に破損してしまうからである。非絶縁体の破損は、導体の露出による危険を招き、また、導体の破損を招くこともある。
しかしながら、機械的強度が高い非絶縁体は往々にして絶縁性が高すぎるか、又は低すぎる。過剰に絶縁性が低い非絶縁体で導体を被覆しても、導体が露出している場合と同様に危険である。また、過剰に絶縁性が高い非絶縁体で導体を被覆すれば、非絶縁体で被覆された導体の帯電部としての機能が損なわれる。
【０００９】
本発明は斯かる事情に鑑みてなされたものであり、その主たる目的は、簡易な構成で信頼性が高い静電噴霧装置を提供することにある。
【課題を解決するための手段】
【００１０】
第１発明に係る静電噴霧装置は、液体を噴霧する噴霧ノズルと、該噴霧ノズルから噴霧される液体を帯電させるための帯電部とを備える静電噴霧装置において、前記帯電部は、条状の導電部と、該導電部を被覆し、該導電部よりも導電性が低く、絶縁体よりも絶縁性が低い第１の被覆部と、該第１の被覆部を被覆し、該第１の被覆部よりも絶縁性が低く機械的強度が高い第２の被覆部とを有する曲直自在な条状になしてあることを特徴とする。
【００１１】
第２発明に係る静電噴霧装置は、前記噴霧ノズルを支持する支持杆と、該支持杆を着脱可能に支持する杆支持部とを更に備え、前記帯電部の一部は伸直し、前記支持杆の長手方向に複数離隔配置されている被装架部間に着脱可能に装架され、前記帯電部の他部はコ字状に屈曲し、前記支持杆を支持している場合の前記杆支持部を迂回して、前記支持杆に着脱可能に取り付けてあることを特徴とする。
【００１２】
第３発明に係る静電噴霧装置は、前記他部に沿って配され、該他部と前記杆支持部との接触を防止する接触防止部を更に備えることを特徴とする。
【００１３】
第１発明にあっては、静電噴霧装置は、噴霧ノズル及び帯電部を備えており、帯電部は、曲直自在な条状をなす。
帯電部は、条状の導電部と、導電部を被覆する第１の被覆部と、第１の被覆部を被覆する第２の被覆部とを有する。
第１の被覆部は、導体に比べて導電性が低い。また、第１の被覆部は絶縁体に比べて絶縁性が低く、第２の被覆部は更に絶縁性が低い。このため、導電部が通電されれば、第１の被覆部を介して、第２の被覆部の表面に、導体に流れる電流よりも弱い電流が流れる。
【００１４】
この結果、帯電部が通電されると、噴霧ノズルから噴霧される液体が帯電する。このため、噴霧された液体は、静電気の作用によって、被噴霧対象に効率よく付着する。
第１の被覆部が適宜の絶縁性を有していれば、第２の被覆部の絶縁性が低すぎても特段の問題はない。また、第２の被覆部が十分な機械的強度を有していれば、第１の被覆部の機械的強度が低くても特段の問題はない。従って、このような帯電部は、一般的な材料を用いて簡易に構成される。また、このような帯電部を所要の長さだけ準備することは、棒電極及び電線からなる所要の長さの帯電部を準備するよりも容易である。
【００１５】
第２発明にあっては、静電噴霧装置は、支持杆及び杆支持部を更に備える。
帯電部の一部は伸直し、帯電部の他部はコ字状に屈曲している。帯電部は曲直自在であるため、帯電部の長手方向の何処の部分であっても、特段の問題なく伸直させるか、又はコ字状に屈曲させることができる。
【００１６】
また、帯電部の一部は被装架部間に装架され、帯電部の他部は支持杆に取り付けてある。従って、帯電部の一部及び他部は夫々無用に変形することなく、保形される。とはいえ、帯電部は曲直自在であるため、棒電極のように完全に形状が固定されるわけではない。従って、例えば外力が印加された場合、帯電部は柔軟に変形して衝撃を和らげる。故に、帯電部の破損が抑制される。また、変形後、元の形状に容易に復元することができる。
【００１７】
帯電部は簡易な構成であり、しかも曲直自在であるため、帯電部の長さの調節、又は帯電部の屈曲位置の変更等は容易である。このため、異なる構成の静電噴霧装置を製造する場合であっても、帯電部を共通化させることができる。即ち、部品点数を低減することができる。
帯電部の他部は、支持杆を支持している場合の杆支持部を迂回している。このため、帯電部の他部、延いては、帯電部全体が、杆支持部に対する支持杆の着脱を阻害しない。
帯電部は着脱自在であるため、帯電部の一部を被装架部から取り外し、帯電部の他部を支持杆から取り外すことが可能である。
【００１８】
静電噴霧装置の本体から取り外された帯電部は、静電噴霧装置の本体とは別途搬送又は保管等することができる。このときに、帯電部を例えば適宜のスプールに巻回すれば、帯電部をコンパクトにまとめることができる。
また、例えば被装架部間に装架されていた帯電部を部分的に取り外して支持杆の適宜の箇所に巻き掛ければ、被装架部間に装架される帯電部の長さを容易に調節することができる。
つまり、曲直自在で着脱可能な帯電部は、柔軟に運用することができる。
【００１９】
第３発明にあっては、静電噴霧装置は、接触防止部を更に備える。
接触防止部は、帯電部の他部に沿って配され、帯電部の他部と杆支持部との接触を防止することによって、帯電部の他部を保護する。
仮に、接触防止部が存在しない場合、支持杆の動揺又は位置ずれ等によって、帯電部の他部は杆支持部に衝突したり摩擦されたりし易い。この結果、帯電部の他部が損傷又は破断等する虞がある。
つまり、接触防止部は帯電部の他部の損傷又は破断等を抑制する。この結果、帯電部、延いては静電噴霧装置の信頼性を向上させることができる。
【発明の効果】
【００２０】
本発明の静電噴霧装置による場合、帯電部は、条状の導電部を第１及び第２の被覆部が被覆している構成である。これは、条状の導体を絶縁体が被覆している一般的なケーブルに類似する簡易な構成である。簡易な構成の帯電部、及び、簡易な構成の帯電部を備える静電噴霧装置は、複雑な構成の帯電部、及び複雑な構成の帯電部を備える静電噴霧装置よりも信頼性が高い。
しかも、第１の被覆部によって、帯電部の機能が損なわれない程度に絶縁されているため、帯電部は安全性が高い。しかも第２の被覆部によって第１の被覆部及び導体部が保護されているため、帯電部、延いては静電噴霧装置の安全性及び信頼性が向上している。
【図面の簡単な説明】
【００２１】
【図１】本発明の実施の形態に係る静電噴霧装置の要部構成を示す正面図である。
【図２】静電噴霧装置の要部構成を示す側面図である。
【図３】静電噴霧装置が備える噴霧ノズル近傍を拡大した正面図である。
【図４】図３におけるＩＶ−ＩＶ線の断面図である。
【図５】静電噴霧装置が備える杆支持部に対する支持杆の着脱を説明するための側面図である。
【図６】杆支持部に対する支持杆の着脱を説明するための正面図である。
【図７】杆支持部に支持杆が支持された状態を示す側面図である。
【図８】杆支持部に支持杆が支持された状態を示す正面図である。
【発明を実施するための形態】
【００２２】
以下、本発明を、その実施の形態を示す図面に基づいて詳述する。
【００２３】
図１及び図２は、本発明の実施の形態に係る静電噴霧装置１の要部構成を示す正面図及び側面図である。以下では、図１の上下左右を静電噴霧装置１の上下左右といい、図２の上下左右を静電噴霧装置１の上下前後という。
図３は、静電噴霧装置１が備える噴霧ノズル２，２，…（後述）近傍を拡大した正面図であり、図４は、図３におけるＩＶ−ＩＶ線の断面図である。
図５及び図６は、静電噴霧装置１が備える杆支持部４に対する支持杆７（各後述）の着脱を説明するための側面図及び正面図である。図７及び図８は、杆支持部４に支持杆７が支持された状態を示す側面図及び正面図である。図５及び図７の上下左右は静電噴霧装置１の上下前後であり、図６及び図８の上下左右は静電噴霧装置１の上下左右である。
【００２４】
静電噴霧装置１はブームスプレーヤである。静電噴霧装置１は、車輪１１，１１，…を有する自走式の本体１０を備える。
本体１０には、直流電圧を出力するバッテリ１２と、次に説明する電源回路１３とが搭載されている。
電源回路１３は、ＤＣ／ＤＣ変換器を用いてなるインバータ１３１、及び後述するケーブル３，３，…に対応する抵抗器１３２，１３２，…等を有する。
【００２５】
インバータ１３１の入力端子はバッテリ１２に接続されている。インバータ１３１は、バッテリ１２の出力電圧を昇圧する。インバータ１３１の正側の出力端子は、抵抗器１３２，１３２，…を介して、次に説明する高圧電線３４，３４，…に接続されている。高圧電線３４，３４，…は、ケーブル３，３，…に対応する。各高圧電線３４は、条状の導体を絶縁体で被覆してなり、防水コネクタ３３を介してケーブル３に接続されている。つまり、インバータ１３１の正側の出力端子は、ケーブル３，３，…に接続されている。インバータ１３１の負側の出力端子は、次に説明する貯留タンク１４に貯留されている薬液に対してグランドされている。
【００２６】
更に、本体１０には、貯留タンク１４とポンプ１５とが搭載されている。貯留タンク１４は、除草剤又は植物生長調整剤等の薬液を貯留する。ポンプ１５は、貯留タンク１４に貯留されている薬液を加圧して、後述する流通管７１に供給する。
本体１０の左右両側には、夫々が複数個の噴霧ノズル２，２，…を支持する２本の支持杆７，７と、後述する支持杆７，７の収納時に支持杆７，７を着脱可能に支持する２個の杆支持部４，４とが配されている。
【００２７】
各支持杆７に関し、噴霧ノズル２，２，…夫々は、噴霧ノズル２から噴霧される薬液の噴霧方向（矢符Ｓ方向）を下向きにして、支持杆７の長手方向に略等間隔に並設されている。
支持杆７は中空であり、支持杆７の下部に、ポンプ１５によって供給された薬液が流通する流通管７１が支持杆７に沿って設けられており、流通管７１と、各噴霧ノズル２の噴霧口とが連通している。
【００２８】
ポンプ１５によって貯留タンク１４から供給された薬液は、流通管７１を流通して各噴霧ノズル２へ供給され、噴霧ノズル２は、噴霧口から矢符Ｓ方向へ、薬液を噴霧する。図中Ｄは、噴霧ノズル２から噴霧される薬液の拡散範囲であり、拡散範囲Ｄは、噴霧ノズル
２の噴霧口を頂点とする円錐状又は扇状である。
【００２９】
本体１０の左側（又は右側）に配された支持杆７の基端部は、本体１０の左側前部（又は右側前部）にて、回動可能に枢支してある。支持杆７，７が、支持杆７，７夫々の基端部を中心に回動することによって、支持杆７，７は左右方向に開閉する。即ち、支持杆７，７夫々の姿勢は可変である。
【００３０】
以下では、支持杆７，７の展開時の姿勢を展開姿勢といい、支持杆７，７の収納時の姿勢を収納姿勢という。展開姿勢とは、図１に示すように、支持杆７，７が本体１０の左右両側方へ突出した姿勢である。噴霧ノズル２，２，…から薬液を噴霧させる場合には、各支持杆７は展開姿勢で維持される。収納姿勢とは、図２に示すように、支持杆７，７が本体１０の左右両側部に沿い、先端側が後方へ突出した姿勢である。収納姿勢の支持杆７は、杆支持部４の後述する載置部４１（図６及び図８参照）に載置される。この結果、例えば噴霧ノズル２，２，…から薬液を噴霧させることなく静電噴霧装置１が移動する場合、又は静電噴霧装置１を格納する場合等には、各支持杆７は、収納姿勢で安定的に維持される。
【００３１】
本体１０の左側（又は右側）に配された杆支持部４は、本体１０の左側後部（又は右側後部）から上方へ突出するよう設けられている腕部４０と、腕部４０の先端部に横姿勢に設けられている平板状の載置部４１と、載置部４１の左右側部から上方へ突出するよう設けられている縦姿勢の２枚の板状の案内部４２，４２とを一体的に有する。
腕部４０は、その中途がく字状に屈曲した柱状をなす。
【００３２】
支持杆７は、載置部４１の上面に着脱可能に載置されることによって、杆支持部４に着脱可能に支持される。支持杆７の載置部４１への載置位置は、支持杆７の長手方向中央部、且つ、隣り合う噴霧ノズル２，２の間である。従って、噴霧ノズル２，２，…が支持杆７の載置部４１に対する着脱を阻害する虞はない。
【００３３】
案内部４２，４２夫々の基端部は、互いに平行に対面している。案内部４２，４２夫々の先端部は、下側から上側へ向けて互いに離隔する方向に傾斜している。支持杆７の載置部４１に対する着脱に際し、案内部４２，４２の何れかに支持杆７又は後述する接触防止部５が当接し摺動すると、支持杆７の載置部４１への載置又は載置部４１からの離脱が案内される。
載置部４１に支持杆７が載置されている状態では、案内部４２，４２は、支持杆７が載置部４１の左右両側から無用に脱落することを抑制する。
【００３４】
各支持杆７の下部からは、垂下部７２０，７２０，…が垂下している。垂下部７２０，７２０，…は、支持杆７の長手方向に複数離隔配置されている。
各垂下部７２０は、２本の棒状の垂下腕部７２１，７２１と、２個の立方体状の被装架部７２，７２とを有する。
各垂下腕部７２１の上端部は支持杆７の下部に取り付けられている。垂下腕部７２１の下端部には被装架部７２が配されている。被装架部７２には、支持杆７の長手方向の貫通孔７２３が形成されている。
【００３５】
被装架部７２，７２は、支持杆７の長手方向及び噴霧ノズル２からの薬液の噴霧方向（即ち矢符Ｓ方向）の両方に交差する方向に離隔して対向配置されている。この結果、支持杆７の下方一側及び下方他側夫々において、支持杆７の長手方向に複数個の被装架部７２，７２，…が離隔配置されている。ここで、支持杆７の下方一側及び下方他側とは、例えば支持杆７の長手方向が左右方向である場合、支持杆７の下方前側及び下方後側である。
【００３６】
以上のような垂下部７２０は、最も近い噴霧ノズル２，２，…から十分に離隔している。故に、垂下部７２０が、噴霧ノズル２，２，…からの薬液の噴霧を阻害すること、及び垂下部７２０に付着した薬液が噴霧ノズル２，２，…へ流入すること等が抑制されている。
【００３７】
静電噴霧装置１は、噴霧ノズル２，２，…夫々から噴霧される薬液を誘電帯電させるための帯電部として、複数本のケーブル３，３，…を備える。
ケーブル３は、正電極として用いられる条状の導電部３１を第１の被覆部３２で被覆し、更に、第１の被覆部３２を第２の被覆部３３で被覆してなる。ケーブル３は、曲直自在である。
導電部３１は、条状の導体を用いてなる。具体的には、導電部３１は、ステンレス鋼製のワイヤからなる。
【００３８】
第１の被覆部３２は、導電部３１よりも導電性が低く、絶縁体よりも絶縁性が低い。第１の被覆部３２は、例えば導電ゴムを用いてなる。具体的には、第１の被覆部３２は、導電性フッ素ゴム製のチューブ（例えば導電性バイトン（登録商標）チューブ）からなる。
第２の被覆部３３は、第１の被覆部３２よりも絶縁性が低いが、機械的強度は高い。第２の被覆部３３は、例えば導電性樹脂を用いてなる。具体的には、第２の被覆部３３は、導電性ナイロン製のチューブ（例えばニッタ株式会社製のナイロンチューブＮ５）からなる。
【００３９】
ここで、導電部３１が、絶縁体ではなく被覆部３２，３３で被覆してある理由は、ケーブル３が、薬液を帯電させる用途に用いられるからである。導電部３１、延いては被覆部３２，３３に十分な電圧が印加されれば、第２の被覆部３３の表面に電流が流れる。故に、導電部３１が被覆部３２，３３で被覆してあっても、噴霧ノズル２，２，…から噴霧される液体は十分に帯電される。しかも、第２の被覆部３３の表面に流れる電流は、導電部３１に流れる電流よりも弱いため、安全性が高い。
【００４０】
第１の被覆部３２は、ケーブル３が帯電部として機能するよう、適宜の導電性を有し、且つ、ケーブル３に触れた人間が感電することを抑制するよう、適宜の絶縁性を有する。故に、第２の被覆部３３の絶縁性が低すぎても特段の問題はない。
ただし、導電ゴムを用いてなる第１の被覆部３２は、伸縮性及び弾性等の機械的強度が、一般的なゴムチューブに比べて低い。しかしながら、第１の被覆部３２は、機械的強度が高い第２の被覆部３３によって保護されるため、特段の問題はない。また、第１の被覆部３２が保護されることによって、導体部３１も保護される。
【００４１】
仮に、第２の被覆部３３が、第１の被覆部３２よりも機械的強度が高く、且つ絶縁性が高い場合、第２の被覆部３３の表面に流れる電流が弱くなりすぎるため、ケーブル３が帯電部として十分に機能することができない。
【００４２】
本実施の形態では、１本の支持杆７に対して２本のケーブル３，３が、互いに略平行に配される。この場合、２本のケーブル３，３が、薬液の拡散範囲Ｄを介在して離隔配置される。なお、１本の支持杆７に対して１本のケーブル３が、Ｕ字状に配されてもよい。この場合、１本のケーブル３の往路と復路とが、薬液の拡散範囲Ｄを介在して離隔配置される。
以下では、各支持杆７に配されている各ケーブル３の支持杆７の長手方向基端側をケーブル３の一部３ａといい、支持杆７の長手方向先端側をケーブル３の一部３ｃといい、ケーブル３の支持杆７の長手方向中央部をケーブル３の他部３ｂという。
【００４３】
各ケーブル３の一部３ａ，３ｃ夫々は伸直し、支持杆７の長手方向に複数個離隔配置さ
れている被装架部７２，７２，…間に、着脱可能に装架される。このために、各ケーブル３は、被装架部７２に形成されている貫通孔７２３に挿通される。貫通孔７２３の内面には、貫通孔７２３に挿通されたケーブル３を保護すべく、図示しない緩衝材が配される。
支持杆７の長手方向に隣り合う被装架部７２，７２間の離隔距離は、ケーブル３の一部３ａ，３ｃの中途が過剰に垂れ下がらない程度に設定されている。このため、棒電極及び電線からなる帯電部を備える従来の静電噴霧装置と比べて、被装架部７２，７２間の離隔距離は短くなる傾向にある。
【００４４】
被装架部７２，７２，…に対するケーブル３の着脱可能な装架は、ケーブル３が、垂下腕部７２１に固定的に設けられている被装架部７２の貫通孔７２３に挿脱可能に挿通されることによるものであってもよく、ケーブル３が貫通孔７２３に固定的に挿通されている被装架部７２が、垂下腕部７２１に着脱可能に取り付けられることによるものであってもよい。
【００４５】
ケーブル３の一部３ａ，３ｃは、噴霧ノズル２，２，…夫々から噴霧される薬液に十分に誘導帯電可能であり、且つ、噴霧ノズル２，２，…からの薬液の噴霧を阻害したりケーブル３の一部３ａ，３ｃに付着した薬液が噴霧ノズル２，２，…へ流入したりすることが十分に抑制される距離だけ、噴霧ノズル２，２，…から離隔配置されている。
【００４６】
ケーブル３の他部３ｂは、コ字状に屈曲している。ケーブル３の他部３ｂは、支持杆７を支持している場合の杆支持部４を迂回して、支持杆７に着脱可能に取り付けてある。従って、ケーブル３の他部３ｂの支持杆７への取り付け位置は、支持杆７の載置部４１への載置位置に対応する。このため、ケーブル３は、杆支持部４に対する支持杆７の着脱を阻害しない。
支持杆７に対するケーブル３の着脱可能な取り付けは、例えば支持杆７に設けられている図示しないフック状のホルダにケーブル３を着脱可能に掛止することによる。
【００４７】
静電噴霧装置１は、ケーブル３，３，…に対応する接触防止部５，５，…を更に備える。各接触防止部５は、コ字状に屈曲した金属棒を用いてなる。接触防止部５は、ケーブル３の他部３ｂに沿ってケーブル３の他部３ｂの下側に接触配置される。つまり、接触防止部５は、支持杆７を支持している場合の載置部４１とケーブル３の他部３ｂとの間に位置する。
【００４８】
図５及び図６に白抜矢符で示すように、支持杆７が杆支持部４に支持される場合、支持杆７は、本体１０の側部に接近する方向へ回動し、更に、杆支持部４の上方から下降し、図７及び図８に示すように載置部４１に載置される。逆に、支持杆７が杆支持部４から脱離する場合、支持杆７は、載置部４１から杆支持部４の上方へ上昇し、更に、本体１０の側部から離隔する方向へ回動する。
【００４９】
何れにせよ、支持杆７又は接触防止部５が案内部４２に当接すれば、支持杆７は案内部４２によって案内されるため、杆支持部４に対する支持杆７の着脱は円滑である。また、接触防止部５によって、ケーブル３の他部３ｂ（延いてはケーブル３全体）が杆支持部４に接触することが防止されている。故に、ケーブル３が杆支持部４に衝突又は摺動することによってケーブル３に損傷又は破断等が生じる虞はない。
【００５０】
ところで、本実施の形態では、接触防止部５がケーブル３の他部３ｂに接触している。このため、接触防止部５は、ケーブル３の他部３ｂを補強する効果も有する。故に、ケーブル３の他部３ｂは、杆支持部４との接触以外からも保護される。
【００５１】
以上のような静電噴霧装置１は、噴霧ノズル２，２，…から薬液を噴霧させることによ
って、例えば圃場の農作物へ薬液を撒布する。このとき、ケーブル３，３，…に高電圧が供給され、噴霧ノズル２，２，…から噴霧される薬液に負の電荷が与えられる。
例えば植物の葉の近傍に負電荷が存在すると、葉は表面及び裏面夫々が正、内部が負に分極する。このため、負に帯電している薬液が農作物の表面にひきつけられて、葉の表面にも裏面にも満遍なく付着する。
【００５２】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、静電噴霧装置１に、実施の形態に開示されていない構成要素が含まれていてもよい。
【符号の説明】
【００５３】
１    静電噴霧装置
２    噴霧ノズル
３    ケーブル（帯電部）
３ａ，３ｃ  一部
３ｂ  他部
４    杆支持部
７    支持杆
７２  被装架部
【図１】
2015174035.tif 000003
【図２】
2015174035.tif 000004
【図３】
2015174035.tif 000005
【図４】
2015174035.tif 000006
【図５】
2015174035.tif 000007
【図６】
2015174035.tif 000008
【図７】
2015174035.tif 000009
【図８】
2015174035.tif 000010